(57)【要約】【課題】ラインサーマルヘッドをコンパクトに構成することを可能とする構造をもつラインサーマルヘッド及び印字装置を提供する。【解決手段】ラインサーマルヘッド１１におけるヒータ１２のある面と反対側の面に対し垂直方向に立ち上がるようにプラグコネクタ１５を設けている。このラインサーマルヘッド１１は、ヒータ１２のある面を下にして鉛直方向に上下動されるように、かつ、プラグコネクタ１５に接続されたソケットコネクタ１６からのケーブル１７が上方へ伸びるように配置して印字装置を構成している。このラインサーマルヘッド１１に取付けられているプラグコネクタ１５は、ラインサーマルヘッド基板内に納まった状態となっていて印字装置の構造をコンパクトにすることができる。【選択図】            図１
2004181898.tif 000002
【特許請求の範囲】
【請求項１】
ラインサーマルヘッドにおけるヒータのある面と反対側の面に対し垂直方向に立ち上がるプラグコネクタを設けたことを特徴とするラインサーマルヘッド。
【請求項２】
請求項１に記載のラインサーマルヘッドを用いた印字装置であって、ヒータのある面を下にして鉛直方向に上下動されるように、かつ、前記プラグコネクタに接続されたソケットコネクタからのケーブルが上方へ伸びるように前記ラインサーマルヘッドを配置したことを特徴とする印字装置。
【発明の詳細な説明】
【０００１】
【発明の属する技術分野】
本発明は、ラインサーマルヘッド及びそのラインサーマルヘッドを用いた印字装置に関する。
【０００２】
【従来の技術】
ラインサーマルヘッドを用いた印字装置では、ラインサーマルヘッド１は、図３に示すように、ヒータ２が設けられている方の端面３と反対側の端面４に対し垂直にプラグコネクタ５が設けられ、このプラグコネクタ５に対しソケットコネクタ６が差し込まれて、ソケットコネクタ６に連絡されたケーブルを経てラインサーマルヘッド１にヒータ加熱用のパルス電流が供給されるように構成されている。
【０００３】
このように、従来のラインサーマルヘッド１では、ヒータ側の端面３と反対側の端面４に垂直にプラグコネクタ５を突出して設けた構造となっているため、そのプラグコネクタ５に差し込まれたソケットコネクタ６と、これに接続されたケーブル７はラインサーマルヘッド１の上下面と同一方向の面内に伸びる。
ラインサーマルヘッドは、シートなどの印字対象物に対して印字を行う度に、印字対象物に当接され、印字を行わないときは印字対象物から離される。
【０００４】
このように、印字対象物に対するラインサーマルヘッドの変位は、上下方向の変位であったり、適宜の枢着軸まわりに回動してヒータ部分が印字対象物に対して変位されるものであるが、ラインサーマルヘッドを有する印字装置をコンパクトに構成する上では、前記したように同一方向の面内に伸びるラインサーマルヘッド、プラグコネクタ、ソケットコネクタおよびケーブルが上下移動や枢着軸まわりの回動を行うときに、他の構成部品に当たったりするので、機器配置を自由に選択する上での障害になっていた。
【０００５】
このように、従来のラインサーマルヘッドは、印字装置をコンパクトに構成する上で制約を与えていた。
【０００６】
【発明が解決しようとする課題】
本発明はラインサーマルヘッドをコンパクトに構成することを可能とする構造をもつラインサーマルヘッド及び印字装置を提供することを課題としている。
【０００７】
【課題を解決するための手段】
本発明は前記課題を解決できるラインサーマルヘッドとして、ラインサーマルヘッドにおけるヒータのある面と反対側の面に対し垂直方向に立ち上がるプラグコネクタを設けた構造をもつラインサーマルヘッドを提供する。
【０００８】
本発明のラインサーマルヘッドは、前記したように、ラインサーマルヘッドのヒータのある面と反対側の面に対し垂直方向に立ち上げたプラグコネクタを設けているので、このラインサーマルヘッドに取付けられているプラグコネクタは、ラインサーマルヘッド基板から横にはみ出さないで、ラインサーマルヘッド基板内に納まった状態とすることができる。
【０００９】
従って、本発明のラインサーマルヘッドは、印字のために移動又は回動されても、ラインサーマルヘッド基板の大きさの面積を有するものを移動又は回動させることができるスペースがあればよいので、印字装置の構造をコンパクトに構成することができる。
【００１０】
また、本発明は、前記課題を解決した印字装置として、ヒータのある面を下にして鉛直方向に上下動されるように、かつ、前記プラグコネクタに接続されたソケットコネクタからのケーブルが上方へ伸びるように前記した構造をもつラインサーマルヘッドを配置した印字装置を提供する。
【００１１】
この印字装置によれば、ラインサーマルヘッドは、印字のための上下動を、プラグコネクタに接続されたソケットコネクタからのケーブルの長さ方向に行わせることとなるので、ソケットコネクタやケーブルの変移のための余分なスペースを必要としない。
【００１２】
このように、本発明のラインサーマルヘッドを使用することにより、印字におけるラインサーマルヘッドの上下動のためのスペースを特に考える必要がなく、印字装置をコンパクトに構成することができる。
【００１３】
【発明の実施の形態】
以下、本発明によるラインサーマルヘッド及び印字装置を図１、図２に示した実施の一形態に基づいて具体的に説明する。
図１（ａ）において、１１は、本発明の実施の一形態によるラインサーマルヘッドを示し、そのヒータ１２がある面（図のラインサーマルヘッドでは下方の面）と反対の面（図のラインサーマルヘッドでは上方の面）に対して接続ピン１８を垂直に立ち上げたプラグコネクタ１５が設けられている。
【００１４】
このプラグコネクタ１５には、図１（ｂ）に示されているソケットコネクタ１６が接続される。ソケットコネクタ１６には、プラグコネクタ１５の接続ピン１８が差し込まれて電気的に接続される複数個のピン孔１９が設けられている。
【００１５】
図１に示されたラインサーマルヘッド１１は以上の構成を有しており、そのラインサーマルヘッド１１のプラグコネクタ１５に対してソケットコネクタ１６が接続されると、ソケットコネクタ１６とそのケーブル１７は、ラインサーマルヘッドのヒータがある面と反対側の面に対し垂直方向に立ち上がった状態となる。
【００１６】
次に、図１に示されたラインサーマルヘッドを用いた印字装置の構成を図２によって説明する。
図２において、１１は図１に示したラインサーマルヘッドであり、ヒータ１２のある面を下にしてヘッド取付け具２０に取り付けられている。ラインサーマルヘッド１１は印字のため鉛直方向に上下動可能に支持されている。
【００１７】
２１は送り側リボンテープを示し、２１−１はその最大径、２１−２はその最小径を示している。２２は巻取り側リボンテープを示し、２２−１はその最大径、２２−２はその最小径を示している。
２３はガイドローラを示しており、送り側リボンテープ２１から送り出されたリボンテープ２４は、これらのガイドローラ２３によって案内されて巻取り側リボンテープ２２に巻き取られる。２５はリボンテープ駆動モータを示している。
【００１８】
図２に示した印字装置は以上の構成を有しており、ラインサーマルヘッド１１におけるソケットコネクタ１６とそのケーブル１７は、図に見られるように斜め上方から上方に向けて立ち上がった状態となる。
【００１９】
この印字装置で印字を行うときは、ラインサーマルヘッド１１は図２に示した矢印２６のように鉛直方向に下降されて印字対象シートなどを下方のプラテンとの間にリボンテープ２４を介して挟んで印字を行うが、このラインサーマルヘッド１１では、そのソケットコネクタ１６とそのケーブル１７は、上方に向けて立ち上がった状態となっているので、ソケットコネクタ１６とそのケーブル１７は他の機器や部材によって制約を受けずに上下動ができる。
【００２０】
参考まで、従来のラインサーマルヘッドにおけるソケットコネクタ６とそのケーブル７を仮想線で示してあるが、従来のラインサーマルヘッドでは、そのソケットコネクタ６とそのケーブル７がラインサーマルヘッドと同じ方向の面に伸びて、ラインサーマルヘッド基板の後端から約２５ｍｍ程度突出した状態となっているので、送り側リボンテープ２１に当たってしまい、その配置に大きく制約を受けるものとなることが判る。
【００２１】
以上のとおり、本実施形態による印字装置は、図１に示した本発明の実施形態によるコンパクトな構造のラインサーマルヘッド１１を採用しているため、その機器配置にラインサーマルヘッド１１とその動きによる制約を殆んど受けることがなく、機器を密接した状態に配置できるので、図２に見られるように極めてコンパクトに構成することができる。
【００２２】
以上、本発明によるプリンタユニットを図示した実施の一形態に基づいて具体的に説明したが、本発明はこの実施形態に限定されるものではなく、特許請求の範囲に記載の本発明の範囲内で種々の変形、変更を加えてよいことはいうまでもない。
【００２３】
例えば、本発明で採用するプラグコネクタ１５とソケットコネクタ１６は図示した構造のものに限定されないし、送り側リボンテープ２１、巻取り側リボンテープ２２、リボンテープ駆動モータ２５及びラインサーマルヘッド１１の配置も図示したものに何ら限定されない。
【００２４】
更に、図示した実施の形態では、ラインサーマルヘッド１１は上下方向に変位されるように構成されているが、これに代わって、枢着点まわりに回動可能にした構成を採用してもよい。
【００２５】
【発明の効果】
以上説明したように、本発明は、ラインサーマルヘッドのヒータがある面と反対側の面に対し垂直方向に立ち上げたプラグコネクタを設けた構造をもつラインサーマルヘッドを提供する。
本発明によるラインサーマルヘッドでは、ラインサーマルヘッドのプラグコネクタを、ヒータのある面と反対側の面に対し垂直方向に立ち上げて設けているので、そのプラグコネクタは、ラインサーマルヘッド基板から横にはみ出さないで、ラインサーマルヘッド基板内に納まった状態とすることができる。
【００２６】
従って、本発明のラインサーマルヘッドは、印字のために移動又は回動されても、ラインサーマルヘッド基板の大きさの面積を有するものを移動又は回動させることができるスペースがあればよいので、印字装置の機器配置を密集させて構成することができ、印字装置をコンパクトにすることができる。
【００２７】
また、前記した本発明によるラインサーマルヘッドを用いた印字装置として、ヒータ面を下にして鉛直方向に上下動されるように、かつ、前記プラグコネクタに接続されたソケットコネクタからのケーブルが上方へ伸びるように前記ラインサーマルヘッドを配置して構成したものは、印字のためのラインサーマルヘッドの上下動を、プラグコネクタに接続されたソケットコネクタからのケーブルの長さ方向に行わせることとなるので、ソケットコネクタとケーブルの変移のための余分なスペースを必要とせず、印字装置をコンパクトに構成することができる。
【図面の簡単な説明】
【図１】本発明の実施の一形態によるラインサーマルヘッドの構造を示す図面で、（ａ）は斜視図、（ｂ）はラインサーマルヘッドのプラグコネクタに接続されるソケットコネクタの斜視図。
【図２】本発明の実施の一形態による印字装置における機器配置を示す平面図。
【図３】従来のラインサーマルヘッドの構造を示す図面で、（ａ）は斜視図、（ｂ）はラインサーマルヘッドのプラグコネクタに接続されるソケットコネクタの斜視図。
【符号の説明】
１    ラインサーマルヘッド
２        ヒータ
３        端面
４        端面
５        プラグコネクタ
６    ソケットコネクタ
７    ケーブル
１１    ラインサーマルヘッド
１２    ヒータ
１５    プラグコネクタ
１６    ソケットコネクタ
１７    ケーブル
１８  接続ピン
１９  ピン孔
２０  取付け具
２１  送り側リボンテープ
２２  巻取り側リボンテープ
２３  ガイドローラ
２４  リボンテープ
２５  リボンテープ駆動モータ
【図１】
2004181898.tif 000003
【図２】
2004181898.tif 000004
【図３】
2004181898.tif 000005